(57)【特許請求の範囲】
【請求項１】
無線通信環境においてアクセス端末の動作を管理することを容易にする方法であって、
アクセス端末において、基地局からの送信によって、前記基地局および少なくとも１つの近隣の基地局に対応する干渉情報を受信することと、
前記基地局および前記少なくとも１つの近隣の基地局に対応する前記干渉情報に基づいて、前記アクセス端末の動作を制御することと
を備え、前記干渉情報は、前記基地局および前記少なくとも１つの近隣の基地局のおのおのについての、少なくとも１つのサブ帯域についての少なくとも１つの干渉対熱（ＩｏＴ）値とＩｏＴしきい値とを備える、方法。
【請求項２】
ブロードキャスト・チャネル、制御チャネル、または負荷情報チャネルのうちの少なくとも１つによって前記干渉情報を受信することをさらに備える請求項１に記載の方法。
【請求項３】
前記基地局は、前記アクセス端末のためのサービス提供基地局である請求項１に記載の方法。
【請求項４】
無線通信環境においてアクセス端末の動作を管理することを容易にする方法であって、
アクセス端末において、基地局からの送信によって、前記基地局および少なくとも１つの近隣の基地局に対応する干渉情報を受信することと、
前記基地局および前記少なくとも１つの近隣の基地局に対応する前記干渉情報に基づいて、前記アクセス端末の動作を制御することと
を備え、前記動作を制御することは、前記基地局および前記少なくとも１つの近隣の基地局に対応する前記干渉情報に基づいて、前記アクセス端末の送信電力を調節することと、しきい値を上回るシンボル毎ダウンリンク・エネルギを持つ前記少なくとも１つの近隣の基地局に対する重み付けられたチャネル・ゲイン、および、前記基地局に対するチャネル・ゲインに応じて、前記アクセス端末の送信電力を調節することとをさらに備える、方法。
【請求項５】
しきい値を上回るシンボル毎エネルギを持つ前記少なくとも１つの近隣の基地局および前記基地局からの重み付けられた干渉情報に応じて、前記アクセス端末の送信電力を調節することをさらに備える請求項４に記載の方法。
【請求項６】
無線通信環境においてアクセス端末の動作を管理することを容易にする方法であって、
アクセス端末において、基地局からの送信によって、前記基地局および少なくとも１つの近隣の基地局に対応する干渉情報を受信することと、
前記基地局および前記少なくとも１つの近隣の基地局に対応する前記干渉情報に基づいて、前記アクセス端末の動作を制御することと
を備え、前記動作を制御することは、前記基地局および前記少なくとも１つの近隣の基地局に対応する前記干渉情報に応じて、前記少なくとも１つの近隣の基地局から、ハンドオーバのためのターゲット・サービス提供基地局を選択することをさらに備える、方法。
【請求項７】
前記干渉情報に基づいて、ハンドオーバのための候補サービス提供基地局を特定することと、
シンボル毎ダウンリンク・エネルギに応じて、前記候補サービス提供基地局から、前記ターゲット・サービス提供基地局を選択することと
をさらに備える請求項６に記載の方法。
【請求項８】
アップリンク負荷に対して少なくとも予め定めたマージンを有する１または複数の基地局を、前記候補サービス提供基地局として認識することをさらに備える請求項７に記載の方法。
【請求項９】
前記候補サービス提供基地局から、最高のシンボル毎ダウンリンク・エネルギを持つ特定の基地局を、前記ターゲット・サービス提供基地局として選択することをさらに備える請求項７に記載の方法。
【請求項１０】
無線通信環境においてアクセス端末の動作を管理することを容易にする方法であって、
アクセス端末において、基地局からの送信によって、前記基地局および少なくとも１つの近隣の基地局に対応する干渉情報を受信することと、
前記基地局および前記少なくとも１つの近隣の基地局に対応する前記干渉情報に基づいて、前記アクセス端末の動作を制御することと
を備え、前記動作を制御することは、前記基地局および前記少なくとも１つの近隣の基地局に対応する前記干渉情報に応じて、ランダム・アクセス・チャネル（ＲＡＣＨ）リソースを選択することをさらに備える、方法。
【請求項１１】
前記基地局および前記少なくとも１つの近隣の基地局に対応する前記干渉情報に基づいて、候補ＲＡＣＨリソースを特定することと、
シンボル毎ダウンリンク・エネルギに応じて、前記候補ＲＡＣＨリソースから、ランダム・アクセスのために使用するための特定のＲＡＣＨリソースを選択することと
をさらに備える請求項１０に記載の方法。
【請求項１２】
無線通信装置であって、
基地局からの送信によって、前記基地局および少なくとも１つの近隣の基地局に対応する干渉情報を取得することと、前記基地局および前記少なくとも１つの近隣の基地局に対応する前記干渉情報に基づいて、アクセス端末の動作を制御することと、ここで、前記干渉情報は、前記基地局および前記少なくとも１つの近隣の基地局のおのおのについての、少なくとも１つのサブ帯域についての少なくとも１つの干渉対熱（ＩｏＴ）値とＩｏＴしきい値とを備える、に関連する命令群を保持するメモリと、
前記メモリに接続され、前記メモリに保持された命令群を実行するように構成されたプロセッサと
を備える無線通信装置。
【請求項１３】
前記メモリはさらに、ブロードキャスト・チャネル、制御チャネル、または負荷情報チャネルのうちの少なくとも１つによって前記干渉情報を取得することに関連する命令群を保持する請求項１２に記載の無線通信装置。
【請求項１４】
無線通信装置であって、
基地局からの送信によって、前記基地局および少なくとも１つの近隣の基地局に対応する干渉情報を取得することと、前記基地局および前記少なくとも１つの近隣の基地局に対応する前記干渉情報に基づいて、アクセス端末の動作を制御することとに関連する命令群を保持するメモリと、ここで、前記メモリはさらに、前記基地局および前記少なくとも１つの近隣の基地局に対応する前記干渉情報に基づいて、前記アクセス端末の送信電力を調節することと、前記基地局に対するチャネル・ゲイン、しきい値を上回るシンボル毎ダウンリンク・エネルギを持つ前記少なくとも１つの近隣の基地局のうちの１または複数に対する重み付けられたチャネル・ゲイン、および、重み付けられた干渉情報に応じて、前記アクセス端末の送信電力を調節することとに関連する命令群を保持する、
前記メモリに接続され、前記メモリに保持された命令群を実行するように構成されたプロセッサと
を備える無線通信装置。
【請求項１５】
無線通信装置であって、
基地局からの送信によって、前記基地局および少なくとも１つの近隣の基地局に対応する干渉情報を取得することと、前記基地局および前記少なくとも１つの近隣の基地局に対応する前記干渉情報に基づいて、アクセス端末の動作を制御することとに関連する命令群を保持するメモリと、ここで、前記メモリはさらに、前記基地局および前記少なくとも１つの近隣の基地局に対応する前記干渉情報に応じて、前記少なくとも１つの近隣の基地局から、ハンドオーバのためのターゲット・サービス提供基地局を選択することに関連する命令群を保持する、
前記メモリに接続され、前記メモリに保持された命令群を実行するように構成されたプロセッサと
を備える無線通信装置。
【請求項１６】
前記メモリはさらに、前記干渉情報に基づいて、ハンドオーバのための候補サービス提供基地局を特定することと、シンボル毎ダウンリンク・エネルギに応じて、前記候補サービス提供基地局から、前記ターゲット・サービス提供基地局を選択することとに関連する命令群を保持する請求項１５に記載の無線通信装置。
【請求項１７】
無線通信装置であって、
基地局からの送信によって、前記基地局および少なくとも１つの近隣の基地局に対応する干渉情報を取得することと、前記基地局および前記少なくとも１つの近隣の基地局に対応する前記干渉情報に基づいて、アクセス端末の動作を制御することとに関連する命令群を保持するメモリと、ここで、前記メモリはさらに、前記基地局および前記少なくとも１つの近隣の基地局に対応する前記干渉情報に応じて、ランダム・アクセス・チャネル（ＲＡＣＨ）リソースを選択することに関連する命令群を保持する、
前記メモリに接続され、前記メモリに保持された命令群を実行するように構成されたプロセッサと
を備える無線通信装置。
【請求項１８】
前記メモリはさらに、前記基地局および前記少なくとも１つの近隣の基地局に対応する前記干渉情報に基づいて、候補ＲＡＣＨリソースを特定することと、シンボル毎ダウンリンク・エネルギに応じて、前記候補ＲＡＣＨリソースから、ランダム・アクセスのために使用するための特定のＲＡＣＨリソースを選択することとに関連する命令群を保持する請求項１７に記載の無線通信装置。
【請求項１９】
無線通信環境において、干渉情報を利用することを可能にする無線通信装置であって、
基地局からの送信によって、前記基地局および１または複数の近隣の基地局に関連する干渉情報を取得する手段と、
前記基地局および前記１または複数の近隣の基地局に関する前記干渉情報に応じて、アクセス端末の動作を管理する手段と
を備え、前記干渉情報は、前記基地局および前記１または複数の近隣の基地局のおのおのについての、少なくとも１つのサブ帯域についての少なくとも１つの干渉対熱（ＩｏＴ）値とＩｏＴしきい値とを備える、無線通信装置。
【請求項２０】
前記干渉情報に基づいて送信電力を調節する手段をさらに備える請求項１９に記載の無線通信装置。
【請求項２１】
無線通信環境において、干渉情報を利用することを可能にする無線通信装置であって、
基地局からの送信によって、前記基地局および１または複数の近隣の基地局に関する干渉情報を取得する手段と、
前記基地局および前記１または複数の近隣の基地局に関する前記干渉情報に応じて、アクセス端末の動作を管理する手段と、
前記干渉情報に基づいて、前記１または複数の近隣の基地局から、ハンドオーバのためのターゲット・サービス提供基地局を選択する手段と
を備える無線通信装置。
【請求項２２】
無線通信環境において、干渉情報を利用することを可能にする無線通信装置であって、
基地局からの送信によって、前記基地局および１または複数の近隣の基地局に関する干渉情報を取得する手段と、
前記基地局および前記１または複数の近隣の基地局に関する前記干渉情報に応じて、アクセス端末の動作を管理する手段と、
前記干渉情報に基づいて、ランダム・アクセスのために使用するランダム・アクセス・チャネル（ＲＡＣＨ）リソースを選択する手段と
を備える無線通信装置。
【請求項２３】
コンピュータ読取可能な記録媒体であって、
基地局からの送信によって、前記基地局および１または複数の近隣の基地局に関する干渉情報を取得するためのコードと、
前記基地局に対するチャネル・ゲインと、しきい値を上回るシンボル毎ダウンリンク・エネルギを持つ前記１または複数の近隣の基地局に対する重み付けられたチャネル・ゲインとに応じた、アクセス端末の送信電力の変更、前記基地局および前記１または複数の近隣の基地局に関する前記干渉情報に応じた、ハンドオーバのためのターゲット・サービス提供基地局の選択、または、前記基地局および前記１または複数の近隣の基地局に関する前記干渉情報に応じた、ランダム・アクセスに使用するランダム・アクセス・チャネル（ＲＡＣＨ）リソースの選択のうちの少なくとも１つを制御するためのコードと
を記録したコンピュータ読取可能な記録媒体。
【請求項２４】
前記干渉情報は、前記基地局および前記１または複数の近隣の基地局のおのおのについての、少なくとも１つのサブ帯域のための少なくとも１つの干渉対熱（ＩｏＴ）値とＩｏＴしきい値とを備える請求項２３に記載のコンピュータ読取可能な記録媒体。
【請求項２５】
ブロードキャスト・チャネル、制御チャネル、または負荷情報チャネルのうちの少なくとも１つによって前記干渉情報を取得するためのコードをさらに備える請求項２３に記載のコンピュータ読取可能な記録媒体。
【請求項２６】
無線通信装置であって、
基地局からの送信によって、前記基地局および１または複数の近隣の基地局に関する干渉情報を受信し、
前記基地局に対するチャネル・ゲインと、しきい値を上回るシンボル毎ダウンリンク・エネルギを持つ前記１または複数の近隣の基地局に対する重み付けられたチャネル・ゲインとに応じた、アクセス端末の送信電力の調節、前記基地局および前記１または複数の近隣の基地局に関する前記干渉情報に応じた、ハンドオーバのためのターゲット・サービス提供基地局の選択、または、前記基地局および前記１または複数の近隣の基地局に関する前記干渉情報に応じた、ランダム・アクセスのために使用するランダム・アクセス・チャネル（ＲＡＣＨ）の選択のうちの少なくとも１つを管理する
ように構成されたプロセッサ
を備える無線通信装置。
【請求項２７】
無線通信環境において干渉情報を配信することを容易にする方法であって、
基地局においてアップリンク条件をモニタリングして干渉情報を生成することと、ここで、前記生成された干渉情報は、少なくとも１つのサブ帯域についての少なくとも１つの干渉対熱（ＩｏＴ）値を備える、
少なくとも１つの近隣の基地局から、別の干渉情報を収集することと、ここで、前記別の干渉情報は、前記少なくとも１つの近隣の基地局のおのおのに対応する、予め定義された干渉情報とモニタリングされた干渉情報とを備える、
前記生成された干渉情報および前記別の干渉情報を、前記基地局から、１または複数のアクセス端末へ送信することと
を備える方法。
【請求項２８】
ブロードキャスト・チャネル、制御チャネル、または負荷情報チャネルのうちの少なくとも１つによって、前記生成された干渉情報と前記別の干渉情報とを送信することをさらに備える請求項２７に記載の方法。
【請求項２９】
前記基地局に関連付けられた、予め定義された干渉情報と前記生成された干渉情報とを、前記少なくとも１つの近隣の基地局のうちの１または複数へ配信することをさらに備える請求項２７に記載の方法。
【請求項３０】
無線通信装置であって、
基地局においてアップリンク・パラメータを測定して干渉情報を生成することと、ここで、前記生成された干渉情報は、少なくとも１つのサブ帯域についての少なくとも１つの干渉対熱（ＩｏＴ）値を備える、
少なくとも１つの近隣の基地局によって生成された別の干渉情報を収集することと、ここで、前記別の干渉情報は、前記少なくとも１つの近隣の基地局のおのおのに対応する、予め定義された干渉情報と測定された干渉情報とを備える、
前記生成された干渉情報および前記別の干渉情報を、前記基地局から、少なくとも１つのアクセス端末へ送信することと
に関連する命令群を保持するメモリと、
前記メモリに接続され、前記メモリに保持された命令群を実行するように構成されたプロセッサと
を備える無線通信装置。
【請求項３１】
前記メモリはさらに、前記生成された干渉情報、および前記別の干渉情報を、ブロードキャスト・チャネル、制御チャネル、または負荷情報チャネルのうちの少なくとも１つによって送信することに関連する命令群を保持する請求項３０に記載の無線通信装置。
【請求項３２】
前記メモリはさらに、前記基地局に関連付けられた、予め定義された干渉情報と前記生成された干渉情報とを、前記少なくとも１つの近隣の基地局のうちの１または複数へ配信することに関連する命令群を保持する請求項３０に記載の無線通信装置。
【請求項３３】
無線通信環境において、干渉情報を配信することを可能にする無線通信装置であって、
アップリンク条件を分析して干渉情報を生成する手段と、ここで、前記生成された干渉情報は、少なくとも１つのサブ帯域についての少なくとも１つの干渉対熱（ＩｏＴ）値を備える、
１または複数の近隣の基地局からの干渉情報をアセンブルする手段と、ここで、前記アセンブルされた干渉情報は、前記１または複数の近隣の基地局のおのおのに対応する、予め定義された干渉情報とモニタリングされた干渉情報とを備える、
前記生成された干渉情報および前記アセンブルされた干渉情報を、１または複数のアクセス端末へ送信する手段と
を備える無線通信装置。
【請求項３４】
前記生成された干渉情報を、前記１または複数の近隣の基地局へ提供する手段をさらに備える請求項３３に記載の無線通信装置。
【請求項３５】
前記生成された干渉情報および前記アセンブルされた干渉情報が、ブロードキャスト・チャネル、制御チャネル、または負荷情報チャネルのうちの少なくとも１つによって送信される請求項３３に記載の無線通信装置。
【請求項３６】
コンピュータ読取可能な記録媒体であって、
アップリンク条件を分析して干渉情報を生成するためのコードと、ここで、前記生成された干渉情報は、少なくとも１つのサブ帯域についての少なくとも１つの干渉対熱（ＩｏＴ）値を備える、
１または複数の近隣の基地局から干渉情報を収集するためのコードと、ここで、前記収集された干渉情報は、前記１または複数の近隣の基地局のおのおのに対応する、予め定義された干渉情報とモニタリングされた干渉情報とを備える、
前記生成された干渉情報および前記収集された干渉情報を１または複数のアクセス端末へ転送するためのコードと
を記録したコンピュータ読取可能な記録媒体。
【請求項３７】
前記生成された干渉情報を、前記１または複数の近隣の基地局へ提供するためのコードをさらに備える請求項３６に記載のコンピュータ読取可能な記録媒体。
【請求項３８】
前記生成された干渉情報、および、前記収集された干渉情報が、ブロードキャスト・チャネル、制御チャネル、または負荷情報チャネルのうちの少なくとも１つによって転送される請求項３６に記載のコンピュータ読取可能な記録媒体。
【請求項３９】
無線通信装置であって、
アップリンク条件を評価しして干渉情報を生成し、ここで、前記生成された干渉情報は、少なくとも１つのサブ帯域についての少なくとも１つの干渉対熱（ＩｏＴ）値を備える、
１または複数の近隣の基地局から干渉情報を収集し、ここで、前記収集された干渉情報は、前記１または複数の近隣の基地局のおのおのに対応する、予め定義された干渉情報とモニタリングされた干渉情報とを備える、
前記生成された干渉情報および前記収集された干渉情報を、ブロードキャスト・チャネル、制御チャネル、または負荷情報チャネルのうちの１または複数によって、１または複数のアクセス端末へ送信する
ように構成されたプロセッサ
を備える無線通信装置。
【請求項４０】
無線通信環境において、干渉情報を利用することを可能にする無線通信装置であって、
基地局からの送信によって、前記基地局および１または複数の近隣の基地局に対応する干渉情報を取得する手段と、
前記基地局と前記１または複数の近隣の基地局に関する前記干渉情報に応じて、アクセス端末の動作を管理する手段と、
前記基地局と前記１または複数の近隣の基地局とに対応する前記干渉情報に基づいて、前記アクセス端末の送信電力を調節する手段と、
前記基地局に対するチャネル・ゲインと、しきい値を上回るシンボル毎ダウンリンク・エネルギを持つ前記１または複数の近隣の基地局に対する重み付けられたチャネル・ゲインとに応じて、前記アクセス端末の送信電力を調節する手段と
を備える無線通信装置。
【発明の詳細な説明】
【関連出願に対する相互参照】
【０００１】
本願は、２００８年８月２７日に出願された“ＭＥＴＨＯＤ  ＡＮＤ  ＡＰＰＡＲＡＴＵＳ  ＦＯＲ  ＣＯＮＴＲＯＬＬＩＮＧ  ＯＰＥＲＡＴＩＯＮ  ＯＦ  Ａ  ＵＳＥＲ  ＥＱＵＩＰＭＥＮＴ（ＵＥ）ＢＡＳＥＤ  ＯＮ  ＩＮＴＥＲＦＥＲＥＮＣＥ  ＩＮＦＯＲＭＡＴＩＯＮ”と題された米国仮特許出願６１／０９２，２０３号の利益を主張する。上記出願の全体は、参照によって本明細書に組み込まれる。
【技術分野】
【０００２】
以下の記載は、一般に、無線通信に関し、さらに詳しくは、無線通信システムにおいて、干渉情報を利用するアクセス端末の動作の制御に関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
従来、無線通信システムにおいて、複数のアクセス端末は、それぞれのサービス提供基地局へ、アップリンクによって送信（例えば、データ、制御情報）を同時に送る。おのおののアクセス端末からの送信は、近傍内に位置する非サービス提供基地局への干渉を引き起こす場合がある。前述したことに対処するために、一般的な技術は、しばしば、アクセス端末の送信電力を制御するコマンドを伝送するために、かなりのダウンリンク帯域幅を使用する。さらに、改良された基地局の実現は、アクセス端末の送信電力を中央制御するための従来のアプローチに関連する複雑さにしばしば遭遇する。
【発明の概要】
【０００９】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、さまざまな態様が、無線通信環境における干渉情報の配信および利用を容易にすることに関して記載される。アップリンク条件を評価することによって、基地局によって、干渉情報が生成され、近隣の基地局（単数または複数）から、個別の干渉情報が収集されうる。基地局および近隣の基地局（単数または複数）に関連付けられた干渉情報は、基地局によってアクセス端末（単数または複数）へ送信されうる。基地局および近隣の基地局（単数または複数）に関連付けられた干渉情報を受信するアクセス端末は、干渉情報に少なくとも部分的に基づいて、動作を制御しうる。例えば、アクセス端末は、基地局および近隣の基地局（単数または複数）に関連付けられた干渉情報に応じて、送信電力を調節し、ハンドオーバのためのターゲット・サービス提供基地局を選択するか、および／または、ランダム・アクセスのために使用するランダム・アクセス・チャネル（ＲＡＣＨ）リソースを選択しうる。
【００１１】
関連する態様によれば、無線通信環境においてアクセス端末の動作を管理することを容易にする方法が、本明細書において記述される。この方法は、アクセス端末において、基地局からの送信によって、基地局および少なくとも１つの近隣の基地局に対応する干渉情報を受信することを含みうる。さらに、この方法は、基地局および少なくとも１つの近隣の基地局に対応する干渉情報に基づいて、アクセス端末の動作を制御することを含みうる。
【００１２】
別の態様は、無線通信装置に関する。この無線通信装置は、基地局からの送信によって、基地局および少なくとも１つの近隣の基地局に対応する干渉情報を取得することと、基地局および少なくとも１つの近隣の基地局に対応する干渉情報に基づいて、アクセス端末の動作を制御することと、に関連する命令群を保持するメモリを含みうる。さらに、この無線通信装置は、メモリに接続され、メモリに保持された命令群を実行するように構成されたプロセッサを含みうる。
【００１３】
さらに別の態様は、無線通信環境において、干渉情報を利用することを可能にする無線通信装置に関する。この無線通信装置は、基地局からの送信によって、基地局および１または複数の近隣の基地局に関連する干渉情報を取得する手段を含みうる。さらに、この無線通信装置は、基地局および１または複数の近隣の基地局に関する干渉情報に応じて、アクセス端末の動作を管理する手段を含みうる。
【００１４】
また、別の態様は、コンピュータ読取可能媒体を備えるコンピュータ・プログラム製品に関する。このコンピュータ読取可能媒体は、基地局からの送信によって、基地局および１または複数の近隣の基地局に関する干渉情報を取得するためのコードを含みうる。さらに、このコンピュータ読取可能媒体は、基地局および１または複数の近隣の基地局に関する干渉情報に応じて、アクセス端末の送信電力の変更、ハンドオーバのためのターゲット・サービス提供基地局の選択、または、ランダム・アクセスに使用するランダム・アクセス・チャネル（ＲＡＣＨ）リソースの選択のうちの少なくとも１つを制御するためのコードを含みうる。
【００１５】
別の態様によれば、無線通信装置は、プロセッサを含みうる。このプロセッサは、基地局からの送信によって、基地局および１または複数の近隣の基地局に関する干渉情報を受信するように構成されうる。このプロセッサはさらに、基地局および１または複数の近隣の基地局に関する干渉情報に応じて、アクセス端末の送信電力の調節、ハンドオーバのためのターゲット・サービス提供基地局の選択、または、ランダム・アクセスのために使用するランダム・アクセス・チャネル（ＲＡＣＨ）の選択のうちの少なくとも１つを管理するように構成されうる。
【００１６】
他の態様によれば、無線通信環境において干渉情報を配信することを容易にする方法が、本明細書において記述される。この方法は、干渉情報を生成するために基地局においてアップリンク条件をモニタリングすることを含みうる。さらに、この方法は、少なくとも１つの近隣の基地局から、別の干渉情報を収集することを含みうる。さらに、この方法は、生成された干渉情報および別の干渉情報を、基地局から、１または複数のアクセス端末へ送信することを含みうる。
【００１７】
別の態様は、無線通信装置に関する。この無線通信装置は、干渉情報を生成するために、基地局においてアップリンク・パラメータを測定することと、少なくとも１つの近隣の基地局によって生成された別の干渉情報を収集することと、生成された干渉情報および別の干渉情報を、基地局から、少なくとも１つのアクセス端末へ送信することとに関連する命令群を保持するメモリを含みうる。さらに、この無線通信装置は、メモリに接続され、メモリに保持された命令群を実行するように構成されたプロセッサを含みうる。
【００１８】
また別の態様は、無線通信環境において、干渉情報を配信することを可能にする無線通信装置に関する。この無線通信装置は、干渉情報を生成するためにアップリンク条件を分析する手段を含みうる。さらに、この無線通信装置は、１または複数の近隣の基地局からの干渉情報をアセンブルする手段を含みうる。さらに、この無線通信装置は、生成された干渉情報およびアセンブルされた干渉情報を、１または複数のアクセス端末へ送信する手段を含みうる。
【００１９】
また、別の態様は、コンピュータ読取可能媒体を備えうるコンピュータ・プログラム製品に関する。このコンピュータ読取可能媒体は、干渉情報を生成するためにアップリンク条件を分析するためのコードを含みうる。このコンピュータ読取可能媒体はさらに、１または複数の近隣の基地局から干渉情報を収集するためのコードを含みうる。さらに、このコンピュータ読取可能媒体は、生成された干渉情報および収集された干渉情報を１または複数のアクセス端末へ転送するためのコードを含みうる。
【００２０】
別の態様によれば、無線通信装置は、プロセッサを含みうる。このプロセッサは、干渉情報を生成するためにアップリンク条件を評価するように構成されうる。さらに、このプロセッサは、１または複数の近隣の基地局から干渉情報を収集するように構成されうる。さらに、このプロセッサは、生成された干渉情報および収集された干渉情報を、ブロードキャスト・チャネル、制御チャネル、または負荷情報チャネルのうちの１または複数によって、１または複数のアクセス端末へ送信するように構成されうる。
【００２１】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２２】
【図１】図１は、本明細書に記載されたさまざまな態様にしたがう無線通信システムの実例である。
【図２】図２は、無線通信環境においてアップリンク干渉情報を配信し利用するシステムの例示である。
【図３】図３は、無線通信環境における送信電力のアクセス端末調節を可能にするシステムの例示である。
【図４】図４は、無線通信環境における干渉情報に基づいて順方向ハンドオーバ判定を有効にするシステムの例示である。
【図５】図５は、無線通信環境において、アクセス端末へ提供され、基地局および近隣の基地局（単数または複数）に関する干渉情報に基づいて、ランダム・アクセスを実行するシステムを例示する。
【図６】図６は、無線通信環境におけるアクセス端末の動作の管理を容易にする方法の例示である。
【図７】図７は、無線通信環境において干渉情報を配信することを容易にする方法の例示である。
【図８】図８は、無線通信システムにおいて、複数の基地局に関連する取得された干渉情報を利用するアクセス端末の例示である。
【図９】図９は、無線通信環境において干渉情報を配信するシステムの例示である。
【図１０】図１０は、本明細書に記載されたさまざまなシステムおよび方法と共に適用されうる無線ネットワーク環境の実例である。
【図１１】図１１は、無線通信環境において干渉情報を利用することを可能にするシステムの例示である。
【図１２】図１２は、無線通信環境において干渉情報を配信することを可能にするシステムの例示である。
【発明を実施するための形態】
【００２３】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２４】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２５】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２６】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２７】
さらに、さまざまな実施形態は、本明細書において、アクセス端末に関して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末との通信のために利用することができ、アクセス・ポイント、ノードＢ、イボルブド・ノードＢ（ｅＮｏｄｅＢ、ｅＮＢ）、あるいはその他のいくつかの用語で称されうる。
【００２８】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２９】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００３０】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００３１】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３２】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００３３】
システム１００は、観察された干渉を示す干渉情報を、ダウンリンクによって、アクセス端末１１６、１２２へ送信することをサポートする。この干渉情報は、干渉対熱（ＩｏＴ：interference-over-thermal）情報、負荷情報等でありうる。基地局１０２は、干渉情報を生成するための（例えば、アップリンクに関連付けられた）条件を測定しうる。さらに、あるいは、その代わりに、基地局１０２に対応する干渉情報が、予め設定されうる。さらに、基地局１０２は、１または複数の（図示しない）近隣の基地局から干渉情報を収集しうる（例えば、１または複数の近隣の基地局も同様に、関連するそれぞれの干渉情報を生成するために条件を測定するか、および／または、予め設定されたそれぞれの干渉情報に関連付けられうる）。基地局１０２は、その後、近隣の基地局（単数または複数）から収集された干渉情報と、基地局１０２に対応する測定および／または予め設定された干渉情報とを、アクセス端末１１６、１２２へ伝送しうる。
【００３４】
さらに、アクセス端末（例えば、アクセス端末１１６、アクセス端末１２２）は、動作を制御するために、基地局１０２および近隣の基地局（単数または複数）によって観察された受信された干渉情報を利用しうる。例えば、アクセス端末は、取得された干渉情報に少なくとも部分的に基づいて、送信電力を調節しうる。別の例によれば、アクセス端末は、受信した干渉情報に応じて選択されたランダム・アクセス・チャネル（ＲＡＣＨ）リソースを利用することにより、ランダム・アクセスに関連付けられた成功率を高めうる。さらなる例によれば、受信した干渉情報に基づいて所望のサービス提供基地局を（例えば、順方向ハンドオーバの一部として）選択するアクセス端末によって、向上された順方向ハンドオーバ決定が提供されうる。
【００３５】
図２に示すように、無線通信環境においてアップリンク干渉情報を配信し利用するシステム２００が例示されている。システム２００は、情報、信号、データ、命令群、コマンド、ビット、シンボル等を送信しうる基地局２０２を含んでいる。基地局２０２は、順方向リンクおよび／または逆方向リンクによってアクセス端末２０４と通信しうる。アクセス端末２０４は、情報、信号、データ、命令群、コマンド、ビット、シンボル等を送信および／または受信しうる。システム２００はさらに、１または複数の近隣の基地局（単数または複数）２０６を含みうる。これらのおのおのは、実質的に基地局２０２に類似しうる。さらに、図示していないが、アクセス端末２０４に類似した任意の数のアクセス端末がシステム２００に含まれうることが考慮される。例示によれば、システム２００は、ロング・ターム・イボリューション（ＬＴＥ）ベースのシステムになり得る。しかしながら、権利主張された主題は、それには限定されない。
【００３６】
基地局２０２は、干渉情報を生成するために、アップリンクに関連付けられた条件を測定しうるアップリンク・モニタ構成要素２０８を含みうる。例示によれば、アップリンク・モニタ構成要素２０８は、アップリンクに関連する干渉対熱（ＩｏＴ）情報を検出しうる。例えば、ＩｏＴ情報は、サブ帯域当たりのＩｏＴ値を含みうる。それに加えて、あるいは、その代わりに、基地局２０２に関連付けられた干渉情報のうちの少なくとも一部が、予め設定されうる（例えば、ＩｏＴ情報は、予め定義された情報を含みうる）。したがって、例によれば、基地局２０２は、所与のＩｏＴしきい値に関連付けられうる。
【００３７】
ＩｏＴは、受信された合計干渉電力と熱雑音電力との比である。例によれば、アップリンク・モニタ構成要素２０８は、サブ帯域当たりの合計干渉レベルと熱雑音レベルとを個別に測定しうる（これらは、他の送信機からの干渉および熱雑音の両方を含む）。例えば、熱雑音レベルを個別に測定することは、送信波形が、（例えば、時間および周波数において）どの送信機からの送信もない期間を含む場合に有効とされうる。そのような期間は、熱レベルを測定するアップリンク・モニタ構成要素２０８によって使用されうる。
【００３８】
さらに、近隣の基地局（単数または複数）２０６は同様に、おのおの、それぞれの干渉情報を生成するために、アップリンク条件を分析しうる（例えば、おのおのが、基地局２０２のアップリンク・モニタ構成要素２０８に実質的に類似したアップリンク・モニタ構成要素をそれぞれ導入する）ことが認識されうる。さらに、近隣の基地局（単数または複数）２０６はまた、それぞれ、予め定義された干渉情報に関連付けられうる。
【００３９】
基地局２０２はさらに、近隣の基地局（単数または複数）２０６からの干渉情報を収集しうる近隣情報管理構成要素２１０を含みうる。近隣情報管理構成要素２１０は、おのおのの近隣基地局２０６から、測定および／または予め設定されたそれぞれの干渉情報を取得しうる。例によれば、近隣情報管理構成要素２１０は、近隣の基地局（単数または複数）２０６から、それぞれのＩｏＴ情報を取得しうる。この例によれば、近隣情報管理構成要素２１０によって、近隣の基地局（単数または複数）２０６のうちの特定の１つから受信されられたＩｏＴ情報は、少なくとも１つのサブ帯域について、少なくとも１つのＩｏＴ値、および／または、少なくとも１つのＩｏＴしきい値を含みうる。
【００４０】
さらに、近隣情報管理構成要素２１０は、基地局２０２に関連付けられた干渉情報を、近隣の基地局（単数または複数）２０６へ配信しうる。したがって、例えば、近隣情報管理構成要素２１０は、アップリンク・モニタ構成要素２０８によって収集された、測定された干渉情報を、近隣の基地局（単数または複数）２０６へ送信しうる。それに加えて、あるいは、その代わりに、近隣情報管理構成要素２１０は、基地局２０２に関連付けられた予め設定された干渉情報を、近隣の基地局（単数または複数）２０６へ転送しうる。
【００４１】
基地局２０２はさらに、基地局２０２および近隣の基地局（単数または複数）２０６に関連付けられた干渉情報を、アクセス端末２０４（および／または、（図示しない）別の任意の基地局（単数または複数））へ送信する干渉情報送信構成要素２１２を含みうる。したがって、干渉情報送信構成要素２１２は、（アップリンク・モニタ構成要素２０８によって予め定義され、生成された）基地局２０２に関連付けられた干渉情報と、近隣の基地局（単数または複数）２０６から収集された干渉情報とを、近隣情報管理構成要素２１０を介して送信しうる。干渉情報送信構成要素２１２は、例えば動的ブロードキャスト・チャネル（Ｄ−ＢＣＨ）のようなブロードキャスト・チャネル、基地局２０の近傍内のアクセス端末（例えば、アクセス端末２０４や（図示しない）別のアクセス端末（単数または複数））に向けられた物理ダウンリンク制御チャネル（ＰＤＣＣＨ）のような制御チャネル、負荷情報チャネル（ＬＩＣＨ）、これらの組み合わせ等を介して、干渉情報を転送しうる。干渉情報は、干渉情報を送信するために利用可能なリソースまたはシステム帯域幅に依存しうる適切なレートで、干渉情報送信構成要素２１２によって送信されうる。
【００４２】
アクセス端末２０４は、干渉情報受信構成要素２１４および動作制御構成要素２１６を含みうる。干渉情報受信構成要素２１４は、基地局２０２および近隣の基地局（単数または複数）２０６に関連する干渉情報を受信しうる。このような干渉情報は、干渉情報受信構成要素２１４によって、基地局２０２から受信されうる。干渉情報受信構成要素２１４は、ブロードキャスト・チャネル、制御チャネル、負荷情報チャネル、これらの組み合わせ等を介して、基地局２０２から干渉情報を取得しうる。
【００４３】
例によれば、基地局２０２は、アクセス端末２０４のためのサービス提供基地局でありうる。この例によれば、干渉情報受信構成要素２１４は、サービス提供基地局（例えば、基地局２０２）、および、サービス提供基地局の近隣内の少なくとも１つの基地局（例えば、近隣の基地局（単数または複数）２０６）に関する干渉情報を受信しうる。そのような干渉情報は、サービス提供基地局によって送信された伝送を介して、干渉情報受信構成要素２１４によって受信されうる。
【００４４】
さらに、動作制御構成要素２１６は、アクセス端末２０４に関連付けられた１または複数の動作を管理するために、基地局２０２から受信した（例えば、基地局２０２および近隣の基地局（単数または複数）２０６に対応する）干渉情報を利用しうる。例えば、動作制御構成要素２１６は、干渉情報を閉ループ電力制御（ＣＬＰＣ）のために使用しうる。別の例によれば、動作制御構成要素２１６は、ランダム・アクセスを実行するために干渉情報を使用しうる。さらなる例によれば、動作制御構成要素２１６は、ハンドオーバ決定を有効にするために、干渉情報を利用しうる。さらに、動作制御構成要素２１６は、干渉情報に基づいて、上記の動作例のうちの２つ以上の組み合わせを有効にしうる。動作制御構成要素２１６は、アクセス端末２０４に対応する他の動作を制御するために、干渉情報を導入することができ、権利主張される主題は、先の例に限定されないことがさらに考慮される。
【００４５】
（例えば、基地局２０２の干渉情報送信構成要素２１２によって送信され、アクセス端末２０４の干渉情報受信構成要素２１４によって取得された）干渉情報を通信するために使用されるアップデート・レートは、この干渉情報について利用可能なシステム帯域幅（ＢＷ）に依存しうる。例えば、アップデート・レートがより速くなる（例えば、〜５−１０ミリ秒）と、動作制御構成要素２１６によって有効とされる、アクセス端末２０４における高速送信電力調節が可能となる。さらに、アップデート・レートが遅くなると、長期にわたる送信電力変更、ランダム・アクセス・チャネル（ＲＡＣＨ）選択、および／または、アクセス端末２０４（例えば、動作制御構成要素２１６）によって実行されるハンドオーバ決定が可能となる。
【００４６】
図３に移って、無線通信環境における送信電力のアクセス端末調節を可能とするシステム３００が例示される。システム３００は、基地局２０２、アクセス端末２０４、および近隣の基地局２０６を含んでいる。基地局２０２はさらに、アップリンクに関連付けられた干渉情報を測定および／または生成するアップリンク・モニタ構成要素２０８と、近隣の基地局（単数または複数）２０６から干渉情報を収集する近隣情報管理構成要素２１０と、基地局２０２および近隣の基地局（単数または複数）２０６に関連する干渉情報を配信する干渉情報送信構成要素２１２とを含みうる。さらに、アクセス端末２０４は、基地局２０２（例えば、干渉情報送信構成要素２１２）によって送信された干渉情報を取得する干渉情報受信構成要素２１４と、動作制御構成要素２１６とを含む。図示する例によれば、動作制御構成要素２１６は、干渉情報に少なくとも部分的に基づいて、アクセス端末２０４によって利用される送信電力を管理する電力制御構成要素３０２を含みうる。
【００４７】
電力制御構成要素３０２は、分散された干渉管理を用いて、アクセス端末ベースの閉ループ電力制御（ＣＬＰＣ）をサポートしうる。電力制御構成要素３０２は、（例えば、ダウンリンク（ＤＬ）からの）チャネル情報と、アップリンクに関連付けられた干渉情報とを用いて、アクセス端末２０４によって利用される送信電力を調節しうる。基地局（例えば、基地局２０２、近隣の基地局（単数または複数）２０６）はおのおのの、高速ＬＩＣＨまたはその他幾つかのチャネルによって、干渉情報を送信しうる。アクセス端末２０４のための送信電力を調節するために、電力制御構成要素３０２は、候補交換セット内のおのおのの基地局について、干渉情報を使用しうる。例えば、電力制御構成要素３０２は、しきい値を上回るシンボル毎ダウンリンク・エネルギ（Ｅｓ）を持つ（例えば、近隣の基地局２０６のような）非サービス提供基地局（単数または複数）へ重み付けられたチャネル・ゲインと、（例えば、基地局２０２のような）サービス提供基地局へのチャネル・ゲインとに基づいて送信電力を調節しうる。チャネル相互性を適用し、ダウンリンクおよびアップリンクの送信構成および受信構成が一致する場合、前述した例は、システム３００がＴＤＤシステムであれば、特に適用可能でありうる。
【００４８】
別の例によれば、電力制御構成要素３０２は、Ｅｓがしきい値を上回る基地局からの、重み付けられた干渉情報（例えば、重み付けられたＬＩＣＨ、重み付けられたＩｏＴ値）に基づいて、アクセス端末２０４によって適用される送信電力を調節しうる。アクセス端末２０４が複数のサブ帯域を利用する場合、干渉情報は、サブ帯域を越えて重み付けられうる。
【００４９】
一般に、電力制御構成要素３０２は、チャネル情報および干渉情報に基づいて、アクセス端末２０４によって使用される送信電力を変更しうる。干渉情報のためのより速いアップデート・レート（例えば、およそ５乃至１０ミリ秒）によって、電力制御構成要素３０２によるより高速な送信電力変更が可能となる。干渉情報のためのより遅いアップデート・レートによって、電力制御構成要素３０２による長期間の送信電力調節が可能となる。さらに、前述とあわせて、基地局２０２は、アクセス端末２０４の送信電力に少なくとも部分的に基づいて、変調およびコード・スキーム（ＭＣＳ）を選択し、リソース（例えば、リソース・ブロック（ＲＢ））を割り当て、および／または、アクセス端末２０４をスケジュールしうる。
【００５０】
電力制御構成要素３０２によって提供されるアクセス端末ベースの閉ループ電力制御は、様々な利点を生成しうる。例えば、（例えばアクセス端末２０４での）分散処理が、（例えば基地局２０２における）集中制御で提供される。したがって、基地局２０２の実装複雑さが低減されうる。さらに、アップリンク閉ループ電力制御（ＣＬＰＣ）コマンドおよびアップリンク許可（可能な場合）を伝送することに関連付けられたダウンリンク・オーバヘッドが低減されうる。
【００５１】
図４を参照して示すように、無線通信環境において、干渉情報に基づいて順方向ハンドオーバ決定を有効にするシステム４００が例示されている。システム４００は、本明細書で記載されているように、基地局２０２、アクセス端末２０４、および近隣の基地局２０６を含んでいる。基地局２０２はさらに、アップリンク・モニタ構成要素２０８、近隣情報管理構成要素２１０、および干渉情報送信構成要素２１２を含みうる。さらに、アクセス端末２０４は、干渉情報受信構成要素２１４および動作制御構成要素２１６を含みうる。
【００５２】
動作制御構成要素２１６はさらに、受信した干渉情報に少なくとも部分的に基づいて、ハンドオーバのための基地局（例えば、基地局２０２、近隣の基地局２０６のうちの１つ）を選択しうるハンドオーバ管理構成要素４０２を含みうる。例えば、ハンドオーバ管理構成要素４０２は、ハンドオーバのための基地局を、シンボル毎のダウンリンク・エネルギ（Ｅｓ）、アップリンク・チャネル条件、およびアップリンク負荷に応じて選択しうる。アクセス端末２０４は、ダウンリンクによって送信されたパイロットまたは基準信号に基づいて、シンボル毎のダウンリンク・エネルギを測定しうる。さらに、アクセス端末２０４は、パイロットまたは基準信号に基づいて、特定の基地局のためのダウンリンク・チャネル推定を得ることができる。ＴＤＤシステムの場合、アクセス端末２０４は、チャネル相互性、および、ダウンリンクとアップリンクとのための更正された送信構成および受信構成を仮定することによって、ダウンリンク・チャネル推定に基づいて、アップリンク・チャネル情報を取得しうる。さらに、アクセス端末２０４は、（例えば基地局２０２のような）ダウンリンク・サービス提供基地局から干渉情報を受信しうる。この干渉情報は、干渉情報受信構成要素２１４によって取得されうる。この干渉情報は、サービス提供基地局（例えば、基地局２０２）のみならず、近隣の基地局（単数または複数）２０６のアップリンク負荷をも示しうる。
【００５３】
ハンドオーバ管理構成要素４０２は、以下のように、ハンドオーバのための基地局を選択しうる。ハンドオーバ管理構成要素４０２は、アップリンク負荷に基づいて、候補基地局を識別しうる。例えば、アップリンク負荷に対してＸ  ｄＢのマージンを持っている場合、基地局が候補基地局として考慮される。ここで、Ｘは、適切な値でありうる。したがって、ハンドオーバ管理構成要素４０２は、候補基地局のリストを生成しうる。候補基地局リストは、該当する候補が無いかもしれないし、あるいは、１または複数の候補基地局を含みうる。さらに、候補基地局リストに、該当する候補が無い場合ではない（例えば、ＮＵＬＬセットではない）場合、ハンドオーバ管理構成要素４０２は、最良のシンボル毎ダウンリンク・エネルギ（Ｅｓ）を持つ候補基地局を、候補基地局リストから選択しうる。さらに、候補基地局リストに、該当する候補が無い（例えばＮＵＬＬセットである）場合、ハンドオーバ管理構成要素４０２は、最良のシンボル毎ダウンリンク・エネルギを持つ基地局を選択しうる。ハンドオーバ管理構成要素４０２は、このように、候補基地局のアップリンク負荷およびアップリンク・チャネルにしたがって、候補基地局の中から、最良のシンボル毎ダウンリンク・エネルギ（Ｅｓ）を持つ基地局を、アクセス端末２０４とのハンドオーバのために選択しうる。対照的に、従来技術は一般に、アップリンク・チャネル条件やアップリンク負荷を考慮することなく、シンボル毎ダウンリンク・エネルギ（Ｅｓ）に基づいて、ハンドオーバのための基地局を選択することを含みうる。したがって、基地局２０２および近隣の基地局（単数または複数）２０６に対応する基地局２０２から取得される干渉情報の利用により、ハンドオーバ基地局選択を改善しうる。
【００５４】
図５に移って、無線通信環境において、基地局（例えば、基地局２０２）および近隣の基地局（単数または複数）（例えば、近隣の基地局２０６）に関連し、アクセス端末（例えば、アクセス端末２０４）へ提供された干渉情報に基づいて、ランダム・アクセスを実行するシステム５００が例示されている。本明細書に記載されているように、基地局２０２は、アップリンク・モニタ構成要素２０８、近隣情報管理構成要素２１０、および干渉情報送信構成要素２１２を含み、アクセス端末２０４は、干渉情報受信構成要素２１４および動作制御構成要素２１６を含みうる。
【００５５】
動作制御構成要素２１６はさらに、受信された干渉情報に基づいてランダム・アクセスを実行するリソース選択構成要素５０２を含みうる。リソース選択構成要素５０２は、アップリンク負荷にしたがって、最適なアップリンク・チャネルを持つランダム・アクセス・チャネル（ＲＡＣＨ）リソースを選択しうる。サブ帯域毎のアップリンク負荷な（例えば、干渉情報受信構成要素２１４によって基地局２０２から取得された干渉情報）が利用可能な場合、リソース選択構成要素５０２は、アップリンク負荷に対してＸ  ｄＢのマージンを持つサブ帯域のＲＡＣＨリソースを、候補ＲＡＣＨセット内に含めうる。リソース選択構成要素５０２は、候補ＲＡＣＨリソースのセットから、最良のシンボル毎ダウンリンク・エネルギ（Ｅｓ）を持つサブ帯域内のＲＡＣＨリソースを選択しうる。しかしながら、リソース選択構成要素５０２は、別の方法で、干渉情報に基づいてＲＡＣＨリソースを選択しうることが考慮される。さらに、アクセス端末２０４は、選択されたＲＡＣＨリソースを用いてランダム・アクセスを実行しうる。
【００５６】
ＲＡＣＨ成功の確率は、アップリンク・チャネルおよびアップリンク負荷情報に基づいてＲＡＣＨリソースを選択することにより向上しうる。対照的に、周波数分割デュプレクス（ＦＤＤ）システムでは従来、アクセス端末は、一般に、アクセス・チャンネル送信のためのＲＡＣＨリソースを、ランダムに、あるいは、予め設定された割当に基づいて選択する。さらに、ＴＤＤシステムでは、アクセス端末は、チャネル相互性により、ダウンリンク・チャネル推定に基づいて、アップリンク・チャネル情報を取得しうる。
【００５７】
図６乃至７を参照して、無線通信環境において、基地局から受信した干渉情報を、アクセス端末の動作を制御するために適用することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００５８】
図６を参照して、無線通信環境におけるアクセス端末の動作を管理することを容易にする方法６００が図示される。６０２では、アクセス端末において、基地局および少なくとも１つの近隣の基地局に対応する干渉情報が基地局からの送信を介して受信されうる。例えば、干渉情報を伝送する送信は、例えば動的ブロードキャスト・チャネル（Ｄ−ＢＣＨ）のようなブロードキャスト・チャネル、例えば物理ダウンリンク制御チャネル（ＰＤＣＣＨ）のような制御チャネル、負荷情報チャネル（ＬＩＣＨ）、これらの組み合わせ等によって送信されうる。さらに、干渉情報が受信される基地局は、アクセス端末のためのサービス提供基地局でありうる。
【００５９】
干渉情報は、測定された干渉情報、および／または、予め設定された干渉情報を含みうる。例えば、干渉情報は、干渉対熱（ＩｏＴ）情報、負荷情報等を含みうる。さらに、ＩｏＴ情報は、基地局および少なくとも１つの近隣の基地局のおのおのについて、少なくとも１つのサブ帯域について少なくとも１つのＩｏＴ値を含みうる。それに加えて、あるいは、その代わりに、ＩｏＴ情報は、基地局および少なくとも１つの近隣の基地局のおのおのについてのＩｏＴしきい値を含みうる。
【００６０】
６０４では、基地局および少なくとも１つの近隣の基地局に対応する干渉情報に基づいて、アクセス端末の動作が制御されうる。例えば、アクセス端末の送信電力が、基地局および少なくとも１つの近隣の基地局に対応する干渉情報に基づいて調節されうる。アクセス端末は、しきい値を上回るシンボル毎ダウンリンク・エネルギ（Ｅｓ）を持つ少なくとも１つの近隣の基地局（例えば、非サービス提供基地局（単数または複数）に対する重み付けられたチャネル・ゲイン、および、基地局（例えば、サービス提供基地局）に対するチャネル・ゲインに応じて送信電力を調節しうる。送信電力はさらに、しきい値を上回るシンボル毎エネルギをそれぞれ持つ基地局および少なくとも１つの近隣の基地局からの、重み付けられた干渉情報に基づいて調節されうる。
【００６１】
他の例によれば、基地局および少なくとも１つの近隣の基地局に対応する干渉情報に応じて、少なくとも１つの近隣の基地局から、ハンドオーバのためのターゲット・サービス提供基地局が選択されうる。ハンドーバのためのターゲット・サービス提供基地局は、この干渉情報に基づいて、ハンドオーバのための候補サービス提供基地局を特定することによって選択されうる。例えば、アップリンク負荷に対して少なくとも予め定めたマージンを持つ１または複数の基地局が、候補サービス提供基地局として認識されうる。さらに、シンボル毎ダウンリンク・エネルギに応じて、ターゲット・サービス提供基地局が、候補サービス提供基地局から選択されうる。例示によって、候補サービス提供基地局からの、最高のシンボル毎ダウンリンク・エネルギに関連付けられた基地局が、ターゲット・サービス提供基地局として選択されうる。
【００６２】
さらなる例によれば、基地局および少なくとも１つの近隣の基地局に対応する干渉情報に応じて、ランダム・アクセス・チャネル（ＲＡＣＨ）リソースが選択されうる。候補ＲＡＣＨリソースは、基地局および少なくとも１つの近隣の基地局に対応する干渉情報に基づいて特定されうる。例えば、候補ＲＡＣＨリソースは、アップリンク負荷に基づいて特定されうる。したがって、負荷に対して少なくとも予め設定されたマージンを持つサブ帯域が、候補ＲＡＣＨリソースと特定されうる。さらに、候補ＲＡＣＨリソースからの特定のＲＡＣＨリソースが、ランダム・アクセス用に用いるために選択されうる。特定のＲＡＣＨリソースは、例えば、シンボル毎ダウンリンク・エネルギに応じて選択されうる。
【００６３】
別の例によれば、送信電力調節値ハンドオーバのための基地局選択、および／または、ランダム・アクセスの組み合わせが、基地局および少なくとも１つの近隣の基地局に対応する干渉情報に基づいて制御されうる。さらに、干渉情報に応じて、その他の動作が管理されうることが考慮される。
【００６４】
図７に移って、無線通信環境において干渉情報を配信することを容易にする方法７００が例示される。７０２では、干渉情報を生成するために、基地局において、アップリンク条件がモニタされうる。例えば、生成された干渉情報は、干渉対熱（ＩｏＴ）情報、負荷情報等を含みうる。例によれば、ＩｏＴ情報は、少なくとも１つのサブ帯域について、少なくとも１つのＩｏＴ値を含みうる。さらに、基地局は、予め定義された干渉情報（例えば、ＩｏＴしきい値）に関連付けられうる。７０４では、少なくとも１つの近隣の基地局から別の干渉情報が収集されうる。この別の干渉情報は、少なくとも１つの近隣の基地局のおのおのにそれぞれ対応する、モニタされた干渉情報、および／または、予め定義された干渉情報を含みうる。さらに、基地局によって生成された干渉情報、および／または、基地局に関連付けられた予め定義された干渉情報が、少なくとも１つの近隣の基地局へ配信されうる。７０６では、生成された干渉情報および別の干渉情報が、基地局から１または複数のアクセス端末へ送信されうる。生成された干渉情報および別の干渉情報は、例えば動的ブロードキャスト・チャネル（Ｄ−ＢＣＨ）のようなブロードキャスト・チャネル、例えば物理ダウンリンク制御チャネル（ＰＤＣＣＨ）のような制御チャネル、負荷情報チャネル（ＬＩＣＨ）、これらの組み合わせ等によって送信されうる。
【００６５】
本明細書に記載された１または複数の態様によれば、干渉は、無線通信環境におけるアクセス端末動作を制御することに関連して干渉情報を導入することに関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００６６】
図８は、無線通信システムにおける複数の基地局に関連して取得された干渉情報を利用するアクセス端末８００の例示である。アクセス端末８００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機８０２を備えうる。受信機８０２は、例えばＭＭＳＥ受信機であり、受信したシンボルを復調し、それらをチャネル推定のためにプロセッサ８０６へ送る復調器８０４を備えうる。プロセッサ８０６は、受信機８０２によって受信された情報を分析すること、および／または、送信機８１６による送信のための情報を生成することに特化されたプロセッサ、アクセス端末８００の１または複数の構成要素を制御するプロセッサ、および／または、受信機８０２によって受信された情報を分析し、送信機８１６による送信のための情報を生成し、アクセス端末８００の１または複数の構成要素を制御するプロセッサでありうる。
【００６７】
アクセス端末８００は、プロセッサ８０６に動作可能に接続されたメモリ８０８をさらに備える。このメモリは、送信されるべきデータ、受信したデータ、および、本明細書に記載されたさまざまな動作および機能を実行することに関連するその他任意の適切な情報を格納しうる。メモリ８０８は、例えば、受信された干渉情報に応じて、アクセス端末８００の動作を制御することに関連付けられたプロトコルおよび／またはアルゴリズムを格納しうる。
【００６８】
本明細書に記載されたデータ・ストア（例えば、メモリ８０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。例示によれば、限定することなく、ＲＡＭは、例えばスタティックＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題となるシステムおよび方法のメモリ８０８は、限定される訳ではないが、これらおよびその他任意の適切なタイプのメモリを備えることが意図される。
【００６９】
プロセッサ８０６は、干渉情報受信構成要素８１０および／または動作制御構成要素８１２に動作可能に接続されうる。干渉情報受信構成要素８１０は、図２の干渉情報受信構成要素２１４に本質的に類似しているか、および／または、動作制御構成要素８１２は、図２の動作制御構成要素２１６に本質的に類似している。干渉情報受信構成要素８１０は、複数の基地局のうちの特定の１つから、複数の基地局に関連する干渉情報を取得しうる。（図示しない）別の例によれば、干渉情報受信構成要素８１０は、受信機８０２の一部でありうる。さらに、動作制御構成要素８１２は、アクセス端末８００の動作を管理するために干渉情報を導入しうる。例えば、動作制御構成要素８１２は、干渉情報に応じて、アクセス端末８００によって利用される送信電力の変更、ハンドオーバのためのターゲット基地局の選択、ランダム・アクセスのために使用するランダム・アクセス・チャネル（ＲＡＣＨ）リソースの選択、これらの組み合わせ等を行いうる。図示されていないが、アクセス端末８００はさらに、（例えば、図３の電力制御構成要素３０２に本質的に類似した）電力制御構成要素、（例えば、図４のハンドオーバ管理構成要素４０２に本質的に類似した）ハンドオーバ管理構成要素、および／または、（例えば、図５のリソース選択構成要素５０２に本質的に類似した）リソース選択構成要素を含みうることが認識されるべきである。アクセス端末８００はさらに、変調器８１４と、データ、信号等を基地局へ送信する送信機８１６とを備える。プロセッサ８０６と別に示されているが、干渉情報受信構成要素８１０、動作制御構成要素８１２、および／または、変調器８１４は、プロセッサ８０６あるいは多くのプロセッサ（図示せず）のうちの一部でありえることが認識されるべきである。
【００７０】
図９は、無線通信環境において干渉情報を配信するシステム９００の例示である。システム９００は、複数の受信アンテナ９０６によって１または複数のアクセス端末９０４から信号を受信する受信機９１０と、送信アンテナ９０８を通して１または複数のアクセス端末９０４へ送信する送信機９２４とを備える基地局９０２（例えばアクセス・ポイント）を備える。受信機９１０は、受信アンテナ９０６から情報を受信する。さらに、受信した情報を復調する復調器９１２と動作可能に関連付けられている。復調されたシンボルは、図８に関して上述したプロセッサに類似し、メモリ９１６に接続されているプロセッサ９１４によって分析される。メモリ９１６は、アクセス端末９０４へ送信されるべきデータ、あるいはアクセス端末９０４から受信したデータ、および／または、本明細書に記載されたさまざまな動作および機能を実行することに関連するその他任意の適切な情報を格納しうる。プロセッサ９１４はさらに、アップリンク・モニタ構成要素９１８、および／または、近隣情報管理構成要素９２０に接続される。アップリンク・モニタ構成要素９１８は図２のアップリンク・モニタ構成要素２０８に本質的に類似しているか、および／または、近隣情報管理構成要素９２０は、図２の近隣情報管理構成要素２１０に本質的に類似している。アップリンク・モニタ構成要素９１８は、干渉情報を生成するためにアップリンク条件を評価しうる。さらに、近隣情報管理構成要素９２０は、１または複数の近隣基地局からの干渉情報をアセンブルしうる。アップリンク・モニタ構成要素９１８によって生成された干渉情報、および、近隣情報管理構成要素９２０によってアセンブルされた１または複数の近隣の基地局からの干渉情報はその後、アクセス端末（単数または複数）９０４へ配信されうる。さらに、図示されていないが、基地局９０２はさらに、図２の干渉情報送信構成要素２１２に本質的に類似しうる干渉情報送信構成要素を含みうることが考慮される。基地局９０２はさらに、変調器９２２を含みうる。変調器９２２は、前述の説明にしたがって、送信機９２４によるアンテナ９０８を経由したアクセス端末９０４への送信のために、フレームを多重化しうる。プロセッサ８０６と別に示されているが、アップリンク・モニタ構成要素９１８、近隣情報管理構成要素９２０、および／または、変調器９２２は、プロセッサ９１４あるいは多くのプロセッサ（図示せず）の一部でありえることが認識されるべきである。
【００７１】
図１０は、無線通信システム１０００の例を示す。無線通信システム１０００は、簡潔さの目的のため、１つの基地局１０１０と１つのアクセス端末１０５０しか示していない。しかしながら、システム１０００は、１より多い基地局、および／または、１より多いアクセス端末を含みうることが認識されるべきである。ここで、追加の基地局および／またはアクセス端末は、以下に示す基地局１０１０およびアクセス端末１０５０の例と実質的に類似しうるか、あるいは、異なりうる。さらに、基地局１０１０および／またはアクセス端末１０５０は、その間の無線通信を容易にするために、本明細書に記載されたシステム（図１−図５、図８−図９、および図１１−図１２）および／または方法（図６−図７）を適用しうることが認識されるべきである。
【００７２】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符号化スキームに基づいて符号化し、インタリーブして、符号化されたデータを提供する。
【００７３】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１０５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０３０によって実行または提供される指示によって決定されうる。
【００７４】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００７５】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００７６】
アクセス端末１０５０では、送信された調整信号が、ＮＲ個のアンテナ１０５２ｒ乃至１０５２ａによって受信され、アンテナ１０５２のおのおのから受信された信号は、それぞれの受信機（ＲＣＶＲ）１０５４ａ乃至１０５４ｒへ提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７７】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００７８】
プロセッサ１０７０は、上述したように、利用可能などの技術を利用するのかを定期的に決定する。さらに、プロセッサ１０７０は、行列インデクス部およびランク値部を備えた逆方向リンク・メッセージを規定することができる。
【００７９】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００８０】
基地局１０１０では、アクセス端末１０５０からの変調信号が、アンテナ１０２４によって受信され、受信機１０２２によって調整され、復調器１０４０によって復調され、ＲＸデータ・プロセッサ１０４２によって処理されて、アクセス端末１０５０によって送信された逆方向のリンク・メッセージが抽出される。さらに、プロセッサ１０３０は、ビームフォーミング重みを決定するためにどの事前符号化行列を使用するかを決定するために、この抽出されたメッセージを処理する。
【００８１】
プロセッサ１０３０およびプロセッサ１０７０は、基地局１０１０およびアクセス端末１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００８２】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００８３】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００８４】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００８５】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００８６】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８７】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８８】
図１１を参照して、無線通信環境において、干渉情報を利用することを可能にするシステム１１００が例示される。例えば、システム１１００は、アクセス端末内に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、基地局からの送信によって、基地局および１または複数の基地局に関する干渉情報を取得するための電子構成要素１１０４を含みうる。さらに、論理グループ１１０２は、基地局および１または複数の近隣の基地局に関する干渉情報に応じて、アクセス端末の動作を管理するための電子構成要素１１０６を含みうる。論理グループ１１０２はさらに、オプションとして、干渉情報に基づいて送信電力を調節するための電子構成要素１１０８を含みうる。さらに、論理グループ１１０２は、オプションとして、干渉情報に基づいて、ハンドオーバのために、１または複数の近隣の基地局から、ターゲット・サービス提供基地局を選択するための電子構成要素１１１０を含みうる。論理グループ１１０２はまた、オプションとして、干渉情報に基づいて、ランダム・アクセスのために使用するランダム・アクセス・チャネル（ＲＡＣＨ）リソースを選択するための電子構成要素１１１２を含みうる。さらに、システム１１００は、電子構成要素１１０４、１１０６、１１０８、１１１０および１１１２に関連付けられた機能を実行するための命令群を保持するメモリ１１１４を含みうる。メモリ１１１４の外側にあるとして示されているが、電子構成要素１１０４、１１０６、１１０８、１１１０および１１１２のうちの１または複数は、メモリ１１１４内に存在しうることが理解されるべきである。
【００８９】
図１２を参照して、無線通信環境において干渉情報を配信することを可能にするシステム１２００が例示される。例えば、システム１２００は、基地局内に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、干渉情報を生成するためにアップリンク条件を分析するための電子構成要素１２０４を含みうる。さらに、論理グループ１２０２は、１または複数の近隣の基地局からの干渉情報をアセンブルするための電子構成要素１２０６を含みうる。さらに、論理グループ１２０２は、生成された干渉情報およびアセンブルされた干渉情報を１または複数のアクセス端末へ送信するための電子構成要素１２０８を含みうる。論理グループ１２０２はまた、オプションとして、生成された干渉情報を、１または複数の近隣の基地局へ提供するための電子構成要素１２１０を含みうる。さらに、システム１２００は、電子構成要素１２０４、１２０６、１２０８、１２１０に関連付けられた機能を実行するための命令群を保持するメモリ１２１２を含みうる。メモリ１２１２の外側にあると示されているが、電子構成要素１２０４、１２０６、１２０８、１２１０は、メモリ１２１２内に存在しうることが理解されるべきである。
【００９０】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
なお、以下に、出願当初の特許請求の範囲に記載された発明を付記する。
［発明１］
無線通信環境においてアクセス端末の動作を管理することを容易にする方法であって、
アクセス端末において、基地局からの送信によって、前記基地局および少なくとも１つの近隣の基地局に対応する干渉情報を受信することと、
前記基地局および前記少なくとも１つの近隣の基地局に対応する干渉情報に基づいて、前記アクセス端末の動作を制御することと
を備える方法。
［発明２］
ブロードキャスト・チャネル、制御チャネル、または負荷情報チャネルのうちの少なくとも１つによって前記干渉情報を受信することをさらに備える発明１に記載の方法。
［発明３］
前記基地局は、前記アクセス端末のためのサービス提供基地局である発明１に記載の方法。
［発明４］
前記干渉情報は、前記基地局および前記少なくとも１つの近隣の基地局のおのおのについて、少なくとも１つのサブ帯域についての少なくとも１つの干渉対熱（ＩｏＴ）値を備える発明１に記載の方法。
［発明５］
前記干渉情報はさらに、前記基地局および前記少なくとも１つの近隣の基地局のおのおのについて、ＩｏＴしきい値を備える発明４に記載の方法。
［発明６］
前記動作を制御することはさらに、前記基地局および前記少なくとも１つの近隣の基地局に対応する干渉情報に基づいて、前記アクセス端末の送信電力を調節することを備える発明１に記載の方法。
［発明７］
しきい値を上回るシンボル毎ダウンリンク・エネルギを持つ少なくとも１つの近隣の基地局に対する重み付けられたチャネル・ゲイン、および、前記基地局に対するチャネル・ゲインに応じて、前記アクセス端末の送信電力を調節することをさらに備える発明６に記載の方法。
［発明８］
しきい値を上回るシンボル毎エネルギを持つ前記基地局および少なくとも１つの近隣の基地局からの重み付けられた干渉情報に応じて、前記アクセス端末の送信電力を調節することをさらに備える発明７に記載の方法。
［発明９］
前記動作を制御することはさらに、前記基地局および前記少なくとも１つの近隣の基地局に対応する干渉情報に応じて、前記少なくとも１つの近隣の基地局から、ハンドオーバのためのターゲット・サービス提供基地局を選択することを備える発明１に記載の方法。
［発明１０］
前記干渉情報に基づいて、ハンドオーバのための候補サービス提供基地局を特定することと、
シンボル毎ダウンリンク・エネルギに応じて、前記候補サービス提供基地局から、前記ターゲット・サービス提供基地局を選択することと
をさらに備える発明９に記載の方法。
［発明１１］
アップリンク負荷に対して少なくとも予め定めたマージンを有する１または複数の基地局を、前記候補サービス提供基地局として認識することをさらに備える発明１０に記載の方法。
［発明１２］
前記候補サービス提供基地局から、最高のシンボル毎ダウンリンク・エネルギを持つ特定の基地局を、前記ターゲット・サービス提供基地局として選択することをさらに備える発明１０に記載の方法。
［発明１３］
前記動作を制御することはさらに、前記基地局および前記少なくとも１つの近隣の基地局に対応する干渉情報に応じて、ランダム・アクセス・チャネル（ＲＡＣＨ）リソースを選択することを備える発明１に記載の方法。
［発明１４］
前記基地局および前記少なくとも１つの近隣の基地局に対応する干渉情報に基づいて、候補ＲＡＣＨリソースを特定することと、
シンボル毎ダウンリンク・エネルギに応じて、前記候補ＲＡＣＨリソースから、ランダム・アクセスのために使用するための特定のＲＡＣＨリソースを選択することと
をさらに備える発明１３に記載の方法。
［発明１５］
無線通信装置であって、
基地局からの送信によって、前記基地局および少なくとも１つの近隣の基地局に対応する干渉情報を取得することと、前記基地局および前記少なくとも１つの近隣の基地局に対応する干渉情報に基づいて、アクセス端末の動作を制御することと、に関連する命令群を保持するメモリと、
前記メモリに接続され、前記メモリに保持された命令群を実行するように構成されたプロセッサと
を備える無線通信装置。
［発明１６］
前記メモリはさらに、ブロードキャスト・チャネル、制御チャネル、または負荷情報チャネルのうちの少なくとも１つによって前記干渉情報を取得することに関連する命令群を保持する発明１５に記載の無線通信装置。
［発明１７］
前記干渉情報は、前記基地局および前記少なくとも１つの近隣の基地局のおのおのについて、少なくとも１つのサブ帯域についての少なくとも１つの干渉対熱（ＩｏＴ）値と、ＩｏＴしきい値とを備える発明１５に記載の無線通信装置。
［発明１８］
前記メモリはさらに、前記基地局および前記少なくとも１つの近隣の基地局に対応する干渉情報に基づいて、前記アクセス端末の送信電力を調節することに関連する命令群を保持する発明１５に記載の無線通信装置。
［発明１９］
前記メモリはさらに、前記基地局に対するチャネル・ゲイン、前記少なくとも１つの近隣の基地局のうちの１または複数に対する重み付けられたチャネル・ゲイン、および、重み付けられた干渉情報に応じて、前記アクセス端末の送信電力を調節することに関連する命令群を保持する発明１８に記載の無線通信装置。
［発明２０］
前記メモリはさらに、前記基地局および前記少なくとも１つの近隣の基地局に対応する干渉情報に応じて、前記少なくとも１つの近隣の基地局から、ハンドオーバのためのターゲット・サービス提供基地局を選択することに関連する命令群を保持する発明１５に記載の無線通信装置。
［発明２１］
前記メモリはさらに、前記干渉情報に基づいて、ハンドオーバのための候補サービス提供基地局を特定することと、シンボル毎ダウンリンク・エネルギに応じて、前記候補サービス提供基地局から、前記ターゲット・サービス提供基地局を選択することとに関連する命令群を保持する発明２０に記載の無線通信装置。
［発明２２］
前記メモリはさらに、前記基地局および前記少なくとも１つの近隣の基地局に対応する干渉情報に応じて、ランダム・アクセス・チャネル（ＲＡＣＨ）リソースを選択することに関連する命令群を保持する発明１５に記載の無線通信装置。
［発明２３］
前記メモリはさらに、前記基地局および前記少なくとも１つの近隣の基地局に対応する干渉情報に基づいて、候補ＲＡＣＨリソースを特定することと、シンボル毎ダウンリンク・エネルギに応じて、前記候補ＲＡＣＨリソースから、ランダム・アクセスのために使用するための特定のＲＡＣＨリソースを選択することとに関連する命令群を保持する発明２２に記載の無線通信装置。
［発明２４］
無線通信環境において、干渉情報を利用することを可能にする無線通信装置であって、
基地局からの送信によって、前記基地局および１または複数の近隣の基地局に関連する干渉情報を取得する手段と、
前記基地局および１または複数の近隣の基地局に関する干渉情報に応じて、アクセス端末の動作を管理する手段と
を備える無線通信装置。
［発明２５］
前記干渉情報に基づいて送信電力を調節する手段をさらに備える発明２４に記載の無線通信装置。
［発明２６］
前記干渉情報に基づいて、前記１または複数の近隣の基地局から、ハンドオーバのためのターゲット・サービス提供基地局を選択する手段をさらに備える発明２４に記載の無線通信装置。
［発明２７］
前記干渉情報に基づいて、ランダム・アクセスのために使用するランダム・アクセス・チャネル（ＲＡＣＨ）リソースを選択する手段をさらに備える発明２４に記載の無線通信装置。
［発明２８］
前記干渉情報は、少なくとも１つのサブ帯域のための少なくとも１つの干渉対熱（ＩｏＴ）値と、前記基地局および前記１または複数の近隣の基地局のおのおののためのＩｏＴしきい値とを備える発明２４に記載の無線通信装置。
［発明２９］
コンピュータ読取可能媒体を備えるコンピュータ・プログラム製品であって、
前記コンピュータ読取可能媒体は、
基地局からの送信によって、前記基地局および１または複数の近隣の基地局に関する干渉情報を取得するためのコードと、
前記基地局および１または複数の近隣の基地局に関する干渉情報に応じて、アクセス端末の送信電力の変更、ハンドオーバのためのターゲット・サービス提供基地局の選択、または、ランダム・アクセスに使用するランダム・アクセス・チャネル（ＲＡＣＨ）リソースの選択のうちの少なくとも１つを制御するためのコードと
を備えるコンピュータ・プログラム製品。
［発明３０］
前記干渉情報は、少なくとも１つのサブ帯域のための少なくとも１つの干渉対熱（ＩｏＴ）値と、前記基地局および前記１または複数の近隣の基地局のおのおののためのＩｏＴしきい値とを備える発明２９に記載のコンピュータ・プログラム製品。
［発明３１］
前記コンピュータ読取可能媒体はさらに、ブロードキャスト・チャネル、制御チャネル、または負荷情報チャネルのうちの少なくとも１つによって前記干渉情報を取得するためのコードを備える発明２９に記載のコンピュータ・プログラム製品。
［発明３２］
無線通信装置であって、
基地局からの送信によって、前記基地局および１または複数の近隣の基地局に関する干渉情報を受信し、
前記基地局および１または複数の近隣の基地局に関する干渉情報に応じて、アクセス端末の送信電力の調節、ハンドオーバのためのターゲット・サービス提供基地局の選択、または、ランダム・アクセスのために使用するランダム・アクセス・チャネル（ＲＡＣＨ）の選択のうちの少なくとも１つを管理する
ように構成されたプロセッサを備える無線通信装置。
［発明３３］
無線通信環境において干渉情報を配信することを容易にする方法であって、
干渉情報を生成するために基地局においてアップリンク条件をモニタリングすることと、
少なくとも１つの近隣の基地局から、別の干渉情報を収集することと、
前記生成された干渉情報および前記別の干渉情報を、前記基地局から、１または複数のアクセス端末へ送信することと
を備える方法。
［発明３４］
前記生成された干渉情報は、少なくとも１つのサブ帯域のための少なくとも１つの干渉対熱（ＩｏＴ）値を備える発明３３に記載の方法。
［発明３５］
前記別の干渉情報は、前記少なくとも１つの近隣の基地局のおのおのに対応する予め定義された干渉情報と、モニタリングされた干渉情報とを備える発明３３に記載の方法。
［発明３６］
ブロードキャスト・チャネル、制御チャネル、または負荷情報チャネルのうちの少なくとも１つによって、前記生成された干渉情報と、前記別の干渉情報を送信することをさらに備える発明３３に記載の方法。
［発明３７］
前記基地局に関連付けられた予め定義された干渉情報と、前記生成された干渉情報とを、前記少なくとも１つの近隣の基地局のうちの１または複数へ配信することをさらに備える発明３３に記載の方法。
［発明３８］
無線通信装置であって、
干渉情報を生成するために、基地局においてアップリンク・パラメータを測定することと、少なくとも１つの近隣の基地局によって生成された別の干渉情報を収集することと、前記生成された干渉情報および前記別の干渉情報を、前記基地局から、少なくとも１つのアクセス端末へ送信することとに関連する命令群を保持するメモリと、
前記メモリに接続され、前記メモリに保持された命令群を実行するように構成されたプロセッサと
を備える無線通信装置。
［発明３９］
前記生成された干渉情報は、少なくとも１つのサブ帯域のための、少なくとも１つの干渉対熱（ＩｏＴ）値を備える発明３８に記載の無線通信装置。
［発明４０］
前記メモリはさらに、前記生成された干渉情報、および前記別の干渉情報を、ブロードキャスト・チャネル、制御チャネル、または負荷情報チャネルのうちの少なくとも１つによって送信することに関連する命令群を保持する発明３８に記載の無線通信装置。
［発明４１］
前記メモリはさらに、前記基地局に関連付けられた予め定義された干渉情報と、前記生成された干渉情報とを、前記少なくとも１つの近隣の基地局のうちの１または複数へ配信することに関連する命令群を保持する発明３８に記載の無線通信装置。
［発明４２］
無線通信環境において、干渉情報を配信することを可能にする無線通信装置であって、
干渉情報を生成するためにアップリンク条件を分析する手段と、
１または複数の近隣の基地局からの干渉情報をアセンブルする手段と、
前記生成された干渉情報および前記アセンブルされた干渉情報を、１または複数のアクセス端末へ送信する手段と
を備える無線通信装置。
［発明４３］
前記生成された干渉情報を、前記１または複数の近隣の基地局へ提供する手段をさらに備える発明４２に記載の無線通信装置。
［発明４４］
前記生成された干渉情報およびアセンブルされた干渉情報が、ブロードキャスト・チャネル、制御チャネル、または負荷情報チャネルのうちの少なくとも１つによって送信される発明４２に記載の無線通信装置。
［発明４５］
前記生成された干渉情報は、少なくとも１つのサブ帯域のための少なくとも１つの干渉対熱（ＩｏＴ）値を備える発明４２に記載の無線通信装置。
［発明４６］
コンピュータ読取可能媒体を備えるコンピュータ・プログラム製品であって、
前記コンピュータ読取可能媒体は、
干渉情報を生成するためにアップリンク条件を分析するためのコードと、
１または複数の近隣の基地局から干渉情報を収集するためのコードと、
前記生成された干渉情報および前記収集された干渉情報を１または複数のアクセス端末へ転送するためのコードと
を備えるコンピュータ・プログラム製品。
［発明４７］
前記コンピュータ読取可能媒体はさらに、前記生成された干渉情報を、前記１または複数の近隣の基地局へ提供するためのコードを備える発明４６に記載のコンピュータ・プログラム製品。
［発明４８］
前記生成された干渉情報、および、前記収集された干渉情報が、ブロードキャスト・チャネル、制御チャネル、または負荷情報チャネルのうちの少なくとも１つによって転送される発明４６に記載のコンピュータ・プログラム製品。
［発明４９］
前記生成された干渉情報は、少なくとも１つのサブ帯域のための少なくとも１つの干渉対熱（ＩｏＴ）値を備える発明４６に記載のコンピュータ・プログラム製品。
［発明５０］
無線通信装置であって、
干渉情報を生成するためにアップリンク条件を評価し、
１または複数の近隣の基地局から干渉情報を収集し、
前記生成された干渉情報および前記収集された干渉情報を、ブロードキャスト・チャネル、制御チャネル、または負荷情報チャネルのうちの１または複数によって、１または複数のアクセス端末へ送信する
ように構成されたプロセッサを備える無線通信装置。
【図１】
0005296209.tif 000002
【図２】
0005296209.tif 000003
【図３】
0005296209.tif 000004
【図４】
0005296209.tif 000005
【図５】
0005296209.tif 000006
【図６】
0005296209.tif 000007
【図７】
0005296209.tif 000008
【図８】
0005296209.tif 000009
【図９】
0005296209.tif 000010
【図１０】
0005296209.tif 000011
【図１１】
0005296209.tif 000012
【図１２】
0005296209.tif 000013